(57)【要約】      （修正有）【課題】ちぎり板を使用して強固なテーブルを提供する。【解決手段】矩形板を横断面直角三角形状に切削してテーブル面１Ａと第１の脚部１Ｂに上部切削端面と下部切削端面を形成し、上部切削端面に「小」の字を構成する上部第１の溝３ａ〜上部第３の溝３ｃを形成し、下部切削端面に「小」の字を構成する下部第１の溝４ａ〜下部第３の溝４ｃを形成し、上部第１の溝と下部第１の溝内、上部第２の溝と下部第２の溝内、上部第３の溝と下部第３の溝内に第１〜第３のちぎり板を嵌合し、テーブル面と第１の脚部が直交状態で接続し、第１〜第３のちぎり板の上面側の上部側面６ａ〜６ｃはテーブル面の上面１ａと面一となり、第１から第３のちぎり板の外面側の外部側面７ａ〜７ｃは第１の脚部の外面１ｄと面一となり、テーブル面の裏面側に第２の脚部を設けたテーブルにより構成する。【選択図】図９
0003232998.tif 000002
【実用新案登録請求の範囲】
【請求項１】
１枚の矩形板の裏面側を端面に平行に、かつ、中心線を２分するように、横断面直角三角形状に切削することでテーブル面と第１の脚部とが切り離され、上記テーブル面側となる上部切削端面と、上記第１の脚部側となる下部切削端面が形成され、
上記上部切削端面と上記テーブル面の上面側に、上部第１の溝を形成すると共に、該上部第１の溝の両側に隣接して「小」の字を描くように、上記上部第１の溝から徐々に離れるように上部第２の溝、上部第３の溝が左右対称になるように構成され、
上記下部切削端面と上記第１の脚部の外面側に、上記上部第１の溝から連続する位置に、下部第１の溝を形成すると共に、該下部第１の溝の両側に隣接して「小」の字を描くように、上記上部第２の溝と上記上部第３の溝に連続する位置に、上記下部第１の溝から徐々に離れるように下部第２の溝、下部第３の溝が左右対称となるように構成され、
上記上部切削端面と上記下部切削端面を接合した状態において、上記上部第１の溝と上記下部第１の溝内に矩形板状の第１のちぎり板が嵌合挿入され、上記上部第２の溝と上記下部第２の溝内に矩形板状の第２のちぎり板が嵌合挿入され、上記上部第３の溝と上記下部第３の溝内に矩形板状の第３のちぎり板が嵌合挿入され、これにより上記上部切削端面と上記下部切削端面とが接続されて、上記テーブル面と上記第１の脚部とが直交状態で接続され、
上記第１から上記第３のちぎり板の上記上面側の上部側面は上記テーブル面の上記上面と面一となるように構成され、
上記第１から上記第３のちぎり板の上記外面側の外部側面は上記第１の脚部の上記外面と面一となるように構成され、
上記端面とは反対側の上記テーブル面の上記裏面側に第２の脚部が設けられたものであるテーブル。
【請求項２】
上記横断面直角三角形状に切削することに代えて、上記中心線を２分するように、横断面鈍角の横断面三角形状に切削することで、上記テーブル面と上記第１の脚部とが切り離され、上記テーブル面側となる上記上部切削端面と、上記第１の脚部側となる上記下部切削端面が形成され、
上記上部切削端面と上記下部切削端面とが上記第１のちぎり板〜上記第３のちぎり板により接続されて、上記テーブル面と上記第１の脚部とが鋭角状態で接続されたものである請求項１のテーブル。
【請求項３】
上記上部第１の溝〜上記上部第３の溝からなる「小」の字を構成する溝が複数形成されることにより上部溝群が設けられ、
上記下部第１の溝〜上記下部第３の溝からなる「小」の字を構成する溝が、上記上部溝群と同数形成されることにより下部溝群が設けられ、
上記上部溝群及び上記下部溝群に、上記第１のちぎり板〜上記第３のちぎり板が各々嵌合挿入されたものである請求項１又は２記載のテーブル。
【請求項４】
上記第１のちぎり板は、左面と右面は、平面視で同一位置に設けられ、各側面は左右面と直交しており、
上記第２のちぎり板は、左面と右面は、平面視で左面に対して右面が右方向にずれており、各側面は上記ずれに沿って斜めに設けられており、
上記第３のちぎり板は、左面と右面は、平面視で左面に対して右面が左方向にずれており、各側面は上記ずれに沿って斜めに設けられているものである請求項１〜３の何れかに記載のテーブル。
【考案の詳細な説明】
【技術分野】
【０００１】
本考案は、板材の接続に、独自構造のちぎり板を利用したテーブルに関するものである。
【背景技術】
【０００２】
従来、木材の接続構造として、凸状の蟻ほぞと、蟻ほぞ穴による木材のほぞ接続構造が知られている（例えば、特許文献１）。
【０００３】
或いは、ちぎり板の使用構造として、例えば一枚板の長手方向に沿う割れを防止するために、表面にちぎり板と同一形状の凹部を長手方向に直交する方向に設け、その凹部にちぎり板を表面と水平かつ上記長手方向に直交する方向に埋め込み、長手方向の板の割れを防止する構造が知られている。
【先行技術文献】
【特許文献】
【０００４】
【特許文献１】実用新案登録第３２０５５５６号公報
【考案の概要】
【考案が解決しようとする課題】
【０００５】
ところで、上記特許文献１の構造は、いわゆる蟻ほぞと蟻ほぞ穴の嵌合の構造であり、例えば引き出し等の方形の構造の直交部の板の接続にも使用されており、新規な構造ではない。
【０００６】
一方、ちぎり板の構造として後者の構造は、天然板の長手方向の割れを防止する方法として知られている方法であり、新規な構造ではない。
【０００７】
本考案は、２つの板材を接続する構造として、独自構造のちぎり板を使用したテーブルを提供することを目的とする。
【課題を解決するための手段】
【０００８】
上記の目的を達成するため本考案は、
第１に、１枚の矩形板の裏面側を端面に平行に、かつ、中心線を２分するように、横断面直角三角形状に切削することでテーブル面と第１の脚部とが切り離され、上記テーブル面側となる上部切削端面と、上記第１の脚部側となる下部切削端面が形成され、上記上部切削端面と上記テーブル面の上面側に、上部第１の溝を形成すると共に、該上部第１の溝の両側に隣接して「小」の字を描くように、上記上部第１の溝から徐々に離れるように上部第２の溝、上部第３の溝が左右対称になるように構成され、上記下部切削端面と上記第１の脚部の外面側に、上記上部第１の溝から連続する位置に、下部第１の溝を形成すると共に、該下部第１の溝の両側に隣接して「小」の字を描くように、上記上部第２の溝と上記上部第３の溝に連続する位置に、上記下部第１の溝から徐々に離れるように下部第２の溝、下部第３の溝が左右対称となるように構成され、上記上部切削端面と上記下部切削端面を接合した状態において、上記上部第１の溝と上記下部第１の溝内に矩形板状の第１のちぎり板が嵌合挿入され、上記上部第２の溝と上記下部第２の溝内に矩形板状の第２のちぎり板が嵌合挿入され、上記上部第３の溝と上記下部第３の溝内に矩形板状の第３のちぎり板が嵌合挿入され、これにより上記上部切削端面と上記下部切削端面とが接続されて、上記テーブル面と上記第１の脚部とが直交状態で接続され、上記第１から上記第３のちぎり板の上記上面側の上部側面は上記テーブル面の上記上面と面一となるように構成され、上記第１から上記第３のちぎり板の上記外面側の外部側面は上記第１の脚部の上記外面と面一となるように構成され、上記端面とは反対側の上記テーブル面の上記裏面側に第２の脚部が設けられたものであるテーブルにより構成される。
【０００９】
１枚の矩形板は、例えば上面に木目を有する長方形板（１）を使用することができる。矩形板状の第１のちぎり板は略正方形状、矩形板状の第２のちぎり板は略菱形状、矩形板状の第３のちぎり板を略菱形状に構成される。上記第１〜第３のちぎり板の上部側面は上部側面（６ａ，６ｂ，６ｃ）により構成され、第１〜第３のちぎり板の外部側面は外部側面（７ａ，７ｂ，７ｃ）により構成される。このように構成すると、第１〜第３のちぎり板によりテーブル面と第１の脚部をデザイン性が高い状態で強固に接続することができ、しかもテーブル面から第１の脚部にかけての９０度曲がった各面において、例えば木目の連続性を持たせることができる。
【００１０】
第２に、上記横断面直角三角形状に切削することに代えて、上記中心線を２分するように、横断面鈍角の横断面三角形状に切削することで、上記テーブル面と上記第１の脚部とが切り離され、上記テーブル面側となる上記上部切削端面と、上記第１の脚部側となる上記下部切削端面が形成され、上記上部切削端面と上記下部切削端面とが上記第１のちぎり板〜上記第３のちぎり板により接続されて、上記テーブル面と上記第１の脚部とが鋭角状態で接続されたものである上記第１記載のテーブルにより構成される。
【００１１】
このように構成すると、テーブル面と第１の脚部との角度を、直角から鋭角に変更することができ、各種のバリエーションを増やすことができる。
【００１２】
第３に、上記上部第１の溝〜上記上部第３の溝からなる「小」の字を構成する溝が複数形成されることにより上部溝群が設けられ、上記下部第１の溝〜上記下部第３の溝からなる「小」の字を構成する溝が、上記上部溝群と同数形成されることにより下部溝群が設けられ、上記上部溝群及び上記下部溝群に、上記第１〜第３のちぎり板が各々嵌合挿入されたものである上記第１又は２記載のテーブルにより構成される。
【００１３】
上部溝群と、それと同数の下部溝群を構成することにより、テーブル面と第１の脚部との接続をより強固にすることができる。
【００１４】
第４に、上記第１のちぎり板は、左面と右面は、平面視で同一位置に設けられ、各側面は左右面と直交しており、上記第２のちぎり板は、左面と右面は、平面視で左面に対して右面が右方向にずれており、各側面は上記ずれに沿って斜めに設けられており、上記第３のちぎり板は、左面と右面は、平面視で左面に対して右面が左方向にずれており、各側面は上記ずれに沿って斜めに設けられているものである上記第１〜３の何れかに記載のテーブルにより構成される。
【００１５】
上記第１のちぎり板の左面は左面（９ａ）であり、右面は右面（９ａ’）であり、上記第２のちぎり板の左面は左面（９ｂ）であり、右面は右面（９ｂ’）であり、第３のちぎり板の左面は左面（９ｃ）であり、右面は右面（９ｃ’）である。このように構成することにより、１つの「小」の字を構成する上部溝群及び下部溝群を、上部第１の溝〜上部第３の溝、及び下部第１の溝〜下部第３の溝、及び第１〜第３のちぎり板により構成することができるため、テーブル面と第１の脚部の接続をより強固にすることができる。
【考案の効果】
【００１６】
本考案によれば、第１〜第３のちぎり板によりテーブル面と第１の脚部をデザイン性が高い状態で強固に接続することができ、しかもテーブル面から第１の脚部にかけての９０度曲がった各面において、例えば木目の連続性を持たせることができ、デザイン性の高いテーブルを構成することができる。
【００１７】
また、テーブル面と第１の脚部との角度を、直角から鋭角に変更することができ、各種のバリエーションを増やすことができる。
【００１８】
また、上部溝群と、それと同数の下部溝群を構成することにより、テーブル面と第１の脚部との接続をより強固にすることができる。
【００１９】
また、１つの「小」の字を構成する上部溝群及び下部溝群を、上部第１の溝〜上部第３の溝、及び下部第１の溝〜下部第３の溝、及び第１〜第３のちぎり板により構成することができるため、テーブル面と第１の脚部の接続をより強固にすることができる。
【図面の簡単な説明】
【００２０】
【図１】本考案に係るテーブルの材料である長方形板を示すものであり、（ａ）はテーブルの長方形板の切削部を形成した状態の斜視図、（ｂ）は切削部に溝を形成した状態の斜視図である。
【図２】（ａ）は同上テーブルの長方形板の側面図、（ｂ）はテーブル面と第１の脚部を接続した状態の側面図である。
【図３】同上テーブルのテーブル面と第１の脚部と第１〜第３のちぎり板を示す斜視図である。
【図４】同上テーブルの上部第１の溝、第１のちぎり板、下部第１の溝を示す斜視図である。
【図５】同上テーブルの上部第２の溝、第２のちぎり板、下部第２の溝を示す斜視図である。
【図６】同上テーブルの上部第３の溝、第３のちぎり板、下部第３の溝を示す斜視図である。
【図７】同上テーブルのちぎり板の平面図であり、（ａ）は中央の第１のちぎり板、（ｂ）は右方向の第２のちぎり板、（ｃ）は左方向の第３のちぎり板を示す。
【図８】同上テーブルの第１〜第３のちぎり板を使用した接続構造を示す斜視図である。
【図９】同上テーブルの上部溝群と下部溝群を示す接続構造を示す斜視図である。
【図１０】（ａ）は同上テーブルの全体構成を示す底面図、（ｂ）は同上テーブルの側面図である。
【図１１】（ａ）は同上テーブルの斜視図、（ｂ）は同上テーブルの平面図である。
【図１２】（ａ）は他の実施形態の同上テーブルの長方形板の側面図、（ｂ）は他の実施形態のテーブル面と第１の脚部を接続した状態の側面図である。
【考案を実施するための形態】
【００２１】
以下、添付図面に基づいて本考案に係るテーブルについて詳細に説明する。
【００２２】
本考案に係るテーブル（図１１（ａ）参照）は、図１に示すように、１枚の長方形板（矩形板）１の裏面１ｂ側の所定位置（前方寄りの位置）を端面１ｃに平行に横断面直角三角形状Ｓ（図２（ａ）参照）に切削することで（略直角三角柱形状の切削部２）、テーブル面１Ａと第１の脚部１Ｂとを、図１（ｂ）に示すように切り離し、上記テーブル面１Ａに上部切削端面２ａと、上記第１の脚部１Ｂに下部切削端面２ｂが形成される（図１（ａ）（ｂ）、図２（ａ）（ｂ）参照）。尚、図１は、長方形板１は、長手方向の左右側面がテーパ面となっており、かつ、短手方向の端面１ｃ，１ｇもテーパ面となっているが、このようなテーパ面を形成するのは任意である。
【００２３】
上記切削部２は、図２（ａ）に示すように、上下方向の中心線Ｐが横断面直角三角形状の直角の中心となるように（中心線Ｐを直角部が２分するように）配置され、切削される。
【００２４】
切削箇所は、図１（ａ）（ｂ）に示すように、中心線Ｐを中心とした横断面が直角三角形状であるが、図１（ａ）、図２（ａ）に示すように、切削部２は、端面１ｃに平行な略直角三角柱形状であり、この切削により、上部切削端面２ａと下部切削端面２ｂが形成される（図２（ａ）参照）。
【００２５】
尚、図２に示すように、切削部２の横断面形状は直角三角形状なので、テーブル面１Ａ側の残りの角度はθ１＝４５度となり、第１の脚部１Ｂ側の残りの角度はθ２＝４５度となる。
【００２６】
そして、切り離された第１の脚部１Ｂの下部切削端面２ｂと、切り離された上記テーブル面１Ａの上部切削端面２ａを接合すると、図２（ｂ）（図１０（ｂ）、図１１（ａ）参照）に示すように、上記テーブル面１Ａに対して第１の脚部１Ｂが直交状態（θ１＋θ２＝直角）で接続することができる。尚、図２において、図面に向かって左側（第１の脚部１Ｂ側）を「前方」、図面に向かって右側（第２の脚部１Ｃ側）を「後方」、前方から後方を向いた場合の左右を「左右方向」、前方から後方を向いた場合の上下を「上下方向」と定義する。従って、図１においては、左右、上下が逆転している。
【００２７】
図３に示すように、上記上部切削端面２ａと上記テーブル面１Ａの上面１ａ側には、三角形状の上部第１の溝３ａ，３ａ’（底面は、上記上部第１の溝３ａと上記上部第１の溝３ａ’の各後端部を結ぶ直線的な底面３ａ”）（図４参照）が、前方から後方に向けて、形成され、該上部第１の溝３ａ，３ａ’の両側に隣接して、「小」の字を描くように、上記上部第１の溝３ａ，３ａ’から徐々に離れるように，各々三角形状の上部第２の溝３ｂ，３ｂ’（底面は、上記上部第２の溝３ｂと上記上部第２の溝３ｂ’の各後端部を結ぶ直線的な底面３ｂ”）（図５参照）、上部第３の溝３ｃ，３ｃ’（底面は、上記上部第３の溝３ｃと上記上部第３の溝３ｃ’の各後端部を結ぶ直線的な底面３ｃ”）（図６参照）が左右対称になるように、前方から後方に向けて形成される。
【００２８】
そして、上記上部第１の溝３ａ，３ａ’〜上記上部第３の溝３ｃ，３ｃ’からなる「小」の字を構成する溝３が複数形成されることにより（本実施形態では３つの上部溝群３（図３参照）が形成され、図９では４つの上部溝群３が構成される）、上部溝群３が設けられている。
【００２９】
尚、上記上部第１の溝３ａ，３ａ’〜上部第３の溝３ｃ，３ｃ’は、上記テーブル面１Ａの上記上面１ａと上部切削端面２ａに跨るように、直線的に形成されている。
【００３０】
図３に示すように、上記下部切削端面２ｂと上記第１の脚１Ｂの外面１ｄ側には、上記上部第１の溝３ａ，３ａ’から連続する位置に、三角形状の下部第１の溝４ａ，４ａ’（底面は、上記下部第１の溝４ａと上記下部第１の溝４ａ’の各後端部を結ぶ直線的な底面４ａ”）（図４参照）が、上方から下方に向けて、形成され、該下部第１の溝４ａ，４ａ’の両側に隣接して、「小」の字を描くように、上記下部第１の溝４ａ，４ａ’から徐々に離れるように，上記上部第２の溝３ｂ，３ｂ’、及び、上記上部第３の溝３ｃ，３ｃ’に連続するように、各々三角形状の下部第２の溝４ｂ，４ｂ’（底面は、上記下部第２の溝４ｂと上記下部第２の溝４ｂ’の各後端部を結ぶ直線的な底面４ｂ”）（図５参照）、下部第３の溝４ｃ，４ｃ’（底面は、上記下部第３の溝４ｃと上記下部第３の溝４ｃ’の各後端部を結ぶ直線的な底面４ｃ”）（図６参照）が左右対称になるように、上方から下方に向けて形成される。
【００３１】
そして、上記下部第１の溝４ａ，４ａ’〜上記下部第３の溝４ｃ，４ｃ’からなる「小」の字を構成する溝４が複数形成されることにより（本実施形態では３つの下部溝群４（図３参照）が形成され、図９では４つの下部溝群４が構成される）、上記上部溝群３と同数の下部溝群４が設けられている。
【００３２】
尚、上記下部第１の溝４ａ，４ａ’〜下部第３の溝４ｃ，４ｃ’は、上記第１の脚１Ｂの上記外面１ｄと下部切削端面２ｂに跨るように、直線的に形成されている。
【００３３】
また、上記上部第１の溝３ａ，３ａ’〜上部第３の溝３ｃ，３ｃ’と、上記下部第１の溝４ａ，４ａ’〜下部第３の溝４ｃ，４ｃ’の位置は、上部切削端面２ａと下部切削端面２ｂにおいて、上下方向に連続するように構成される。
【００３４】
また、図２（ｂ）の上部切削端面２ａと下部切削端面２ｂの接続状態において、上部第１〜第３の溝３ａ，３ａ’〜３ｃ，３ｃ’と上記下部第１〜第３の溝４ａ，４ａ’〜４ｃ，４ｃ’は連続している。
【００３５】
上記上部切削端面２ａと上記下部切削端面２ｂを接合した図２（ｂ）の状態において、上記上部第１の溝３ａ，３ａ’と上記下部第１の溝４ａ，４ａ’内に略正方形板状の第１のちぎり板５ａが嵌合挿入され（図３、図４参照）、上記上部第２の溝３ｂ，３ｂ’と上記下部第２の溝４ｂ，４ｂ’内に略正方形板状（略菱形状）の第２のちぎり板５ｂが嵌合挿入され（図３、図５参照）、上記上部第３の溝３ｃ，３ｃ’と上記下部第３の溝４ｃ，ｃ’内に略正方形板状（略菱形状）の第３のちぎり板５ｃが嵌合挿入され（図３、図６参照）、これにより上記上部切削端面２ａと上記下部切削端面２ｂとが接続されて、上記テーブル面１Ａと上記第１の脚部１Ｂとが直交状態で強固に接続される（図２（ｂ）、図８、図９参照）。上記第１のちぎり板５ａは略正方形状（矩形板状）、第２〜第３のちぎり板は略菱形状（矩形板状）に形成されている。
【００３６】
そして、上記上部第１の溝３ａ，３ａ’〜上記上部第３の溝３ｃ，３ｃ’と上記下部第２の溝４ａ，４ａ’〜上記下部第３の溝４ｃ，４ｃ’からなる溝の幅及び四角形の面積は、上記第１〜第３のちぎり板５ａ〜５ｂの幅及び四角形の面積と略同様となるように構成され、各ちぎり板が上記各溝内にぴったりと嵌合し得るように構成されている。
【００３７】
図４に示すように、第１のちぎり板５ａの上半部の三角形状部分１０ａが、上記上部第１の溝３ａ，３ａ’の三角形状の溝内に嵌合され、第１のちぎり板５ａの下半部の三角形状部分１０ａ’が、上記下部第１の溝４ａ，４ａ’の三角形状の溝内に嵌合される。
【００３８】
また、図５に示すように、第２のちぎり板５ｂの上半部の三角形状部分１０ｂが、上記上部第２の溝３ｂ，３ｂ’の三角形状の溝内に嵌合され、第２のちぎり板５ｂの下半部の三角形状部分１０ｂ’が、上記下部第２の溝４ｂ，４ｂ’の三角形状の溝内に嵌合される。
【００３９】
また、図６に示すように、第３のちぎり板５ｃの上半部の三角形状部分１０ｃが、上記上部第３の溝３ｃ，３ｃ’の三角形状の溝内に嵌合され、第３のちぎり板５ｃの下半部の三角形状部分１０ｃ’が、上記下部第３の溝４ｃ，４ｃ’の三角形状の溝内に嵌合される。
【００４０】
これらの上記第１〜第３のちぎり板５ａ〜５ｃの嵌合挿入は、上記上部切削端面２ａ側の３つ又は４つの上部溝群３、及び、上記下部切削端面２ｂ側の３つ又は４つの下部溝群４において各々行われ、その結果、上記テーブル面１Ａと上記第１の脚部１Ｂの接続が強固に行われる。そして、上記上部切削端面２ａと上記下部切削端面２ｂは、隙間なく接続される（図８、図９参照）。
【００４１】
また、上記第１から上記第３のちぎり板５ａ，５ｂ，５ｃの側面７ａ’，７ｂ’，７ｃ’は上記溝内の上記底面３ａ”，３ｂ”，３ｃ”に隙間なく接し、上記第１から第３のちりぎ板５ａ，５ｂ，５ｃの左右側面９ａ，９ａ’，左右側面９ｂ，９ｂ’、左右側面９ｃ、９ｃ’は上記上部第１〜上部第３の溝３ａ〜３ｃの溝内の三角形の左右内側面に隙間なく接する。
【００４２】
また、上記第１から上記第３のちぎり板５ａ，５ｂ，５ｃの側面６ａ’，６ｂ’，６ｃ’は上記溝内の上記底面４ａ”，４ｂ”，４ｃ”に隙間なく接し、上記第１から第３のちりぎ板５ａ，５ｂ，５ｃの左右側面９ａ，９ａ’，左右側面９ｂ，９ｂ’、左右側面９ｃ、９ｃ’は上記下部第１〜下部第３の溝４ａ〜４ｃの溝内の三角形の左右内側面に隙間なく接する。
【００４３】
さらに、上記第１から上記第３のちぎり板５ａ，５ｂ，５ｃの上面１ａ側の側面（上部側面）６ａ，６ｂ，６ｃは、上部第１〜第３の溝３ａ〜３ｃから臨出し、上記テーブル面１Ａの上面１ａと面一となるように構成される（図４〜図６、図８参照）。
【００４４】
同様に、上記第１から上記第３のちぎり板５ａ，５ｂ，５ｃの第１の脚部１Ｂの外面１ｄ側の側面（外部側面）７ａ，７ｂ，７ｃは、上記下部第１〜第３の溝４ａ〜４ｃから臨出し、上記第１の脚部１Ｂの外面１ｄと面一となるように構成される（図４〜図６、図８参照）。即ち、上記第１〜第３のちぎり板５ａ〜５ｃが上記上部第１〜第３の溝３ａ〜３ｃと、上記下部第１〜第３の溝４ａ〜４ｃに嵌合した際、上記第１〜第３のちぎり板５ａ〜５ｃの側面６ａ〜６ｃは、上記上面１ａと面一となるように形成され、側面７ａ〜７ｃは、上記外面１ｄと面一となるような角度で構成されている。
【００４５】
そして、上記長方形板１の端部１ｃとは反対側の上記テーブル面１Ａの裏面１ｂ側に第２の脚部１Ｃが設けられている（図１０参照）。
【００４６】
図７に示すように、上記第１のちぎり板５ａは、左面９ａと右面９ａ’は、平面視（図７参照）で同一位置に設けられ、側面６ａ，６ａ’，７ａ，７ａ’は左右面９ａ，９ａ’と直交しており、上記第２のちぎり板５ｂは、左面９ｂと右面９ｂ’は、平面視で左面９ｂに対して右面９ｂ’が右方向にずれており、側面６ｂ，６ｂ’，７ｂ，７ｂ’は上記ずれに沿って斜めに設けられており、上記第３のちぎり板５ｃは、左面９ｃと右面９ｃ’は、平面視で左面９ｃに対して右面９ｃ’が左方向にずれており、側面６ｃ，６ｃ’，７ｃ，７ｃ’は上記ずれに沿って斜めに設けられている。
【００４７】
尚、図１（ａ）（ｂ）のテーブル面１Ａの裏面側１ｂの横溝１ｅは、第２の脚部１Ｃの嵌合溝である。また第１の脚部１Ｂの内側面を符号１ｆで示す。
【００４８】
本考案は上述のように構成されているので、以下、本考案のテーブルの組み立て方を説明する。
【００４９】
先ず、１枚の長方形板１の裏面１ｂ側を、端面１ｃに平行に、かつ中心線Ｐ（図２（ａ）参照）を中心として、横断面直角三角形の直角部分が、中心線Ｐの中心になるように、（直角部分が中心線Ｐを２分するように）横断面直角三角形状（切削部２は、直角三角形柱状）に切削して切削部２を形成し（図１（ａ）、図２（ａ）参照）、テーブル１Ａと第１の脚部１Ｂを切り離す。尚、予め長方形板１の裏面１ｂ側に横溝１ｅを形成しておく。
【００５０】
上記長方形板１は、１枚ものを使用することで、木目をテーブル面１Ａ（上面１ａ側）から脚部１Ｂ（外面１ｄ側）に向けて連続させることができる（図９参照）。
【００５１】
その後、テーブル１Ａの上部切削端面２ａに、上面１ａから上部切削端面２ａに向けて、「小」の字を構成する上部第１の溝３ａ，３ａ’、上部第２の溝３ｂ，３ｂ’、上部第３の溝３ｃ，３ｃ’からなる三角形状の溝３を前方から後方に形成する（底面は各々３ａ”，３ｂ”，３ｃ”）（図４〜図６参照）。この「小」の字を構成する溝３は、上記上部切削端面２ａ及び上記上面１ａに３つ形成し（図３参照）、３つの上部溝群３を構成する。溝の数は、全部で９個となる（図３参照）。
【００５２】
また、第１の脚部１Ｂの下部切削端面２ｂに、上記外面１ｄから下部切削端面２ｂに向けて、「小」の字を構成する下部第１の溝４ａ，４ａ’、下部第２の溝４ｂ，４ｂ’、下部第３の溝４ｃ，４ｃ’からなる溝４、を上方から下方に形成する（底面は各々４ａ”，４ｂ”，４ｃ”）（図４〜図６参照）。この「小」の字を構成する溝４は、上記下部切削端面２ｂ及び外面１ｄに３つ形成し（図３参照）、３つの下部溝群４を構成する。また、３つの上記上部溝群３の形成位置と、３つの上記下部溝群４の形成位置は、上下方向で対応（連続）している。３つの下部溝群４の溝の数は全部で９個となる。
【００５３】
その後、第１のちぎり板５ａの上半部の三角形状部分１０ａを上記上部第１の溝３ａの三角形状の溝内に挿入嵌合し、第１のちぎり板５ａの下半部の三角形状部分１０ａ’を上部切削端面２ａから突出させ、第２のちぎり板５ｂの上半部の三角形状部分１０ｂを上記上部の第２の溝３ｂの三角形状の溝内に挿入嵌合し、第２のちぎり板５ｂの下半部の三角形状部分１０ｂ’を上記上部切削端面２ａから突出させ、第３のちぎり板５ｃの上半部の三角形状部分１０ｃを上記上部第３の溝３ｃの三角形状の溝内に挿入嵌合し、第３のちぎり板５ｃの下半部の三角形状部分１０ｃ’を上記上部切削端面２ａから突出する。
【００５４】
その他の「小」の字を構成する他の上部溝群３，３においても、各々３つのちぎり板５ａ〜５ｃの上半部の三角形状部分１０ａ〜１０ｃを、各上部溝群３，３の上部第１の溝３ａ，３ａ’〜上部第３の溝３ｃ，３ｃ’の三角形状の溝内に挿入嵌合し、上記ちぎり板５ａ〜５ｃの下半部の三角形状部分を上記上部切削端面２ａから突出する。
【００５５】
すると、３つの上記上部溝群３の各上部第１〜第３の溝３ａ，３ａ’〜３ｃ，３ｃ’に、９枚の第１〜第３のちぎり板５ａ〜５ｃの上半部の三角形状部分１０ａ〜１０ｃが嵌合され、９枚のちぎり板の下半部の三角形状部分１０ａ’，１０ｂ’，１０ｃ’が各々突出した状態となる（ちぎり板の数は９枚）。尚、このとき、各第１〜第３のちぎり板５ａ〜５ｃの側面７ａ’〜７ｃ’は各々の底面３ａ”〜３ｃ”に隙間なく接している。
【００５６】
また、上記第１の脚部１Ｂの下部切削端面２ｂに形成された「小」の字を構成する下部第１〜下部第３の溝４ａ，４ａ’〜４ｃ，４ｃ’の三角形状の溝内に、９枚の上記ちぎり板の下半部の三角形状部分１０ａ’，１０ｂ’，１０ｃ’を各々挿入嵌合し、上記上部切削端面２ａと上記下部切削端面２ｂとを隙間なく接続する。このとき、上記各第１〜第３のちぎり板５ａ〜５ｃの側面６ａ’〜６ｃ’は各々の底面４ａ”〜４ｃ”に隙間なく接する。
【００５７】
上記第１〜第３のちぎり板５ａ〜５ｃ（９枚）の三角形状の上半部１０ａ，１０ｂ，１０ｃは、各上部第１〜第３の溝３ａ，３ａ’〜３ｃ，３ｃ’（９か所）の三角形状の溝に嵌合する大きさであり、上記第１〜第３のちぎり板５ａ〜５ｃ（９枚）の三角形状の下半部１０ａ’，１０ｂ’，１０ｃ’は、及び、各下部第１〜第３の溝４ａ，４ａ’〜４ｃ，４ｃ’（９か所）の三角形状の溝に嵌合する大きさであるため、上記第１の脚部１Ｂの下部切削端面２ｂを、上記テーブル面１Ａの上部切削端面２ａに接続したとき、上記各第１〜第３のちぎり板５ａ〜５ｃ（９枚）の各上面（上部側面）６ａ〜６ｃ（９か所）は、上記上部第１〜第３の溝３ａ〜３ｃから臨出し、上記テーブル１Ａの上面１ａに面一となり、上記各第１〜第３のちぎり板５ａ〜５ｃ（９枚）の各外面（外部側面）７ａ〜７ｃ（９か所）は、上記下部第１〜第３の溝４ａ〜４ｃから臨出し、第１の脚部１Ｂの外面１ｄに面一となるように構成される（図８、図９参照）。
【００５８】
また、面一にならないようであれば、上面１ａ又は外面１ｄに面一となるように、やすりがけ等を施す。
【００５９】
その後は、テーブル面１Ａの裏面１ｂの横溝１ｅ内に第２の脚部１Ｃを接続して、図１０、図１１に示すテーブルを構成すれば良い。
【００６０】
（他の実施形態）
上記横断面直角三角形状に切削することに代えて、図１２（ａ）に示すように、上記中心線Ｐを２分するように、横断面鈍角（θ３）の横断面三角形状に切削することで(切削部２’)、上記テーブル面１Ａと上記第１の脚部１Ｂとが切り離され、上記テーブル面１Ａとなる上記上部切削端面２ａと、上記第１の脚部１Ｂとなる上記下部切削端面２ｂが形成され、上記上部切削端面２ａと上記下部切削端面２ｂとが上記第１のちりぎ板〜上記第３のちぎり板５ａ〜５ｃにより接続されて、上記テーブル面１Ａと上記第１の脚部１Ｂとが、図１２（ｂ）に示すように、鋭角状態で接続されたテーブルにより構成される。
【００６１】
尚、上記上部第１の溝３ａ，３ａ’〜上記上部第３の溝３ｃ，３ｃ’からなる「小」の字を構成する溝が複数形成されることにより上部溝群３が設けられ、上記下部第１の溝４ａ，４ａ’〜上記下部第３の溝４ｃ，４ｃ’からなる「小」の字を構成する溝が、上記上部溝群３と同数形成されることにより下部溝群４が設けられ、上記上部溝群３及び上記下部溝群４に、上記第１のちぎり板５ａ〜上記第３のちぎり板５ｃが各々嵌合挿入される点、及び、上記第１のちぎり板５ａは、左面９ａと右面９ｂ’は、平面視で同一位置に設けられ、各側面は左右面と直交しており、上記第２のちぎり板５ｂは、左面９ｂと右面９ｂ’は、平面視で左面に対して右面が右方向にずれており、各側面は上記ずれに沿って斜めに設けられており、上記第３のちぎり板５ｃは、左面９ｃと右面９ｃ’は、平面視で左面に対して右面が左方向にずれており、各側面は上記ずれに沿って斜めに設けられているものである点は、上記実施形態と同じである。
【００６２】
このように、第１の脚部１Ｂとテーブル面１Ａとが、直角に限らず、鋭角に接続することも可能である。尚、上記テーブル面１Ａの裏面１ｂ側には上記第２の脚部１Ｃが接続される。
【００６３】
以上のように本考案によれば、第１〜第３のちぎり板５ａ〜５ｃによりテーブル面１Ａと第１の脚部１Ｂをデザイン性が高い状態で強固に接続することができ、しかもテーブル面１Ａから第１の脚部１Ｂにかけての９０度曲がった各面において、例えば木目の連続性を持たせることができ、デザイン性の高いテーブルを形成することができる。
【００６４】
また、テーブル面１Ａと第１の脚部１Ｂとの角度を、直角から鋭角に変更することができ、各種のバリエーションを増やすことができる。
【００６５】
また、上部溝群３と、それと同数の下部溝群４を構成することにより、テーブル面１Ａと第１の脚部１Ｂとの接続をより強固にすることができる。
【００６６】
また、１つの「小」の字を構成する上部溝群３及び下部溝群４を、上部第１の溝３ａ，３ａ’〜上部第３の溝３ｃ，３ｃ’、及び下部第１の溝４ａ，４ａ’〜下部第３の溝４ｃ，４ｃ’、及び第１〜第３のちぎり板５ａ〜５ｃにより構成することができるため、テーブル面１Ａと第１の脚部１Ｂの接続をより強固にすることができる。
【００６７】
尚、テーブル面１Ａと第１の脚部１Ｂの接続部は、図１１（ａ）に示すようにエッジを立てて構成することもできるし、アールを形成しても良い。
【産業上の利用可能性】
【００６８】
本考案に係るテーブルによれば、例えば上部溝群、下部溝群、及び、第１〜第３のちぎり板を使用することで、テーブル面と第１の脚部とを強固に接続することができ、デザイン性も高いテーブルを構成することができる。
【符号の説明】
【００６９】
１          長方形板（矩形板）
１Ａ        テーブル面
１Ｂ        第１の脚部
１Ｃ        第２の脚部
１ａ        上面
１ｂ        裏面
１ｄ        外面
１ｃ        端面
２          切削部
２ａ        上部切削端面
２ｂ        下部切削端面
３          上部溝群
３ａ，３ａ’  上部第１の溝
３ｂ，３ｂ’  上部第２の溝
３ｃ，３ｃ’  上部第３の溝
４          下部溝群
４ａ，４ａ’  下部第１の溝
４ｂ，４ｂ’  下部第２の溝
４ｃ，４ｃ’  下部第３の溝
５ａ        第１のちぎり板
５ｂ        第２のちぎり板
５ｃ        第３のちぎり板
６ａ，６ｂ，６ｃ    側面（上部側面）
６ａ’，６ｂ’，６ｃ’  側面
７ａ，７ｂ，７ｃ    側面（外部側面）
７ａ’，７ｂ’，７ｃ’  側面
９ａ，９ｂ，９ｃ        左面
９ａ’，９ｂ’，９ｃ’  右面
Ｐ          中心線
【図１】
0003232998.tif 000003
【図２】
0003232998.tif 000004
【図３】
0003232998.tif 000005
【図４】
0003232998.tif 000006
【図５】
0003232998.tif 000007
【図６】
0003232998.tif 000008
【図７】
0003232998.tif 000009
【図８】
0003232998.tif 000010
【図９】
0003232998.tif 000011
【図１０】
0003232998.tif 000012
【図１１】
0003232998.tif 000013
【図１２】
0003232998.tif 000014